(57)【要約】【課題】  携帯電話システム及び携帯電話通信方法に関し、デジタルカメラ等のデジタル家電装置間のデータを携帯電話端末装置間の接続機能を利用して伝送する。【解決手段】  データ通信機能を具備した携帯電話端末装置１，２と、これらの携帯電話端末装置１，２を介してデータ伝送を可能としたパソコン３やデジタルカメラ４等のデジタル家電装置とを含む携帯電話システム及び携帯電話通信方法に於いて、携帯電話端末装置１，２は、デジタル家電装置との間でデータ送受信を行うワイヤレス通信手段を備え、デジタル家電装置は、携帯電話端末装置との間でデータ送受信を行うワイヤレス通信手段と、携帯電話端末装置１，２を介してデータ受信能力情報の通知及び相手側のデータ受信能力情報の認識を行う手段と、この手段による相手側のデータ受信能力に応じたデータに処理して送信する手段とを備えている。【選択図】        図１
2007043593.tif 000002
【特許請求の範囲】
【請求項１】
データ通信機能を具備した携帯電話端末装置と、該携帯電話端末装置を介してデータ伝送を可能としたデジタル家電装置とを含む携帯電話システムに於いて、
前記携帯電話端末装置は、前記デジタル家電装置との間でデータ送受信を行うワイヤレス通信手段を備え、
前記デジタル家電装置は、前記携帯電話端末装置との間でデータ送受信を行うワイヤレス通信手段と、前記携帯電話端末装置を介してデータ受信能力情報の通知及び相手側のデータ受信能力情報の認識を行う手段と、該手段による前記相手側のデータ受信能力に応じたデータに処理して送信する手段とを備えた
ことを特徴とする携帯電話システム。
【請求項２】
前記携帯電話端末装置は、前記ワイヤレス通信手段により前記デジタル家電装置から受信したデータを通話状態の相手側携帯電話端末装置へ送信する手段を備えたことを特徴とする請求項１記載の携帯電話システム。
【請求項３】
前記デジタル家電装置は、前記携帯電話端末装置を介してデータ受信能力情報の通知及び相手側のデータ受信能力情報の認識を行うと共にネットワークアドレスを通知する手段と、該手段により相手側の前記ネットワークアドレスを認識して該ネットワークアドレスにより相手側のデジタル家電装置とネットワークを介して接続する手段とを備えたことを特徴とする請求項１記載の携帯電話システム。
【請求項４】
データ通信機能をそれぞれ具備した一方と他方との携帯電話端末装置と、該一方と他方との携帯電話端末装置を介してデータ伝送を可能とした一方と他方とのデジタル家電装置とを含み、該一方と他方とのデジタル家電装置間でデータ伝送を行う携帯電話通信方法に於いて、
前記一方と他方との携帯電話端末装置は、前記一方と他方とのデジタル家電装置との少なくともデータを受信する側のデジタル家電装置のデータ受信能力情報をワイヤレス通信により受信して、該データ受信能力情報を携帯電話端末装置間の通話経路を介して相手側の携帯電話端末装置へ伝送し、該携帯電話端末装置からワイヤレス通信によりデータを送信する側のデジタル家電装置に伝送する過程と、
データ送信側のデジタル家電装置は、受信識別したデータ受信能力に応じたデータに処理して、データ受信側のデジタル家電装置に、前記携帯電話端末装置を介して伝送する過程とを含む
ことを特徴とする携帯電話通信方法。
【請求項５】
データ通信機能をそれぞれ具備した一方と他方との携帯電話端末装置と、該一方と他方との携帯電話端末装置を介してデータ伝送を可能とした一方と他方とのデジタル家電装置とを含み、該一方と他方とのデジタル家電装置間でデータ伝送を行う携帯電話通信方法に於いて、
前記一方と他方との携帯電話端末装置は、前記一方と他方とのデジタル家電装置との少なくともデータを受信する側のデジタル家電装置のデータ受信能力情報及びネットワークアドレス情報とをワイヤレス通信により受信して、該データ受信能力情報及びネットワークアドレス情報とを携帯電話端末装置間の通話経路を介して相手側の携帯電話端末装置へ伝送し、該携帯電話端末装置からワイヤレス通信によりデータを送信する側のデジタル家電装置に伝送する過程と、
データ送信側のデジタル家電装置は、受信識別したデータ受信能力に応じたデータに処理し、且つ前記ネットワークアドレス情報を基にネットワーク接続して該ネットワークを介してデータ受信側のデジタル家電装置にデータを送信する過程とを含む
ことを特徴とする携帯電話通信方法。
【発明の詳細な説明】
【技術分野】
【０００１】
本発明は、携帯電話端末装置を用いて通話及びデジタル家電装置の画像データを含む各種のデータ伝送を行う携帯電話システム及び携帯電話通信方法に関する。
【背景技術】
【０００２】
一般的な携帯電話端末装置は、少なくともテンキーを備えて、通話相手の電話番号を入力するか又は内蔵メモリによる電話帳を読出して、通話相手を指定することにより、移動通信ネットワークを介して通話相手の携帯電話端末装置を呼び出し、この携帯電話端末装置が呼び出しに応答することにより、移動通信ネットワークを介してパスが形成されて通話が可能となるものであり、又通話のみでなく、メール等のデータを送受信することも可能の構成を有するものである。又デジタルカメラを実装した携帯電話端末装置も実用化されており、このデジタルカメラで撮像した画像を、相手の携帯電話端末装置に転送することもできる。
【０００３】
又携帯電話端末装置に、パソコン（パーソナル・コンピュータ）をケーブルにより接続し、移動通信ネットワークや無線ＬＡＮ（ローカル・エリア・ネットワーク）を介して、相手側の携帯電話端末装置やサーバ等を呼び出し、各種データを伝送する構成も知られている。又デジタルカメラと携帯電話端末装置とをケーブルにより接続し、移動通信ネットワークを介して相手側の携帯電話端末装置を呼び出して通話可能の状態とし、携帯電話端末装置のキー操作により画像送信を指示すると、デジタルカメラで撮像した画像を、相手側の携帯電話端末装置へ送信する手段が知られている（例えば、特許文献１参照）。
【０００４】
又デジタルカメラをデータ通信システムと接続し、転送先のデータ処理装置の表示装置の大きさ等の画像表示機能やメモリ容量等の特性情報を取得し、その特性情報に従って、撮像した画像を表示装置に表示できるように、又はメモリに蓄積できるように処理して転送する手段が知られている（例えば、特許文献２参照）。
【特許文献１】特開２００３−７８６３８号公報
【特許文献２】特開２００３−２４４４９８号公報
【発明の開示】
【発明が解決しようとする課題】
【０００５】
携帯電話端末装置は、通話を主とするものであるが、各種の機能を付加して、メールや画像等のデータ伝送を可能とした機種も多くなっている。又パソコン（パーソナル・コンピュータ）やデジタルカメラ等とケーブルにより接続して、携帯電話端末装置を介して画像データ等を含む各種データを伝送することが可能である。又パソコン同士では、インターネット等のネットワークに接続し、相手側のアドレスを入力することにより、ネットワークを介してデータの送受信が可能である。しかし、携帯電話端末装置を主として通話にのみ使用するユーザは、相手側のアドレス入力等を行うネットワーク接続操作は不得手な場合が多いものである。又パソコンやデジタルカメラ等をケーブルにより携帯電話端末装置と接続する操作については、接続操作が煩わしく感じることが多く、更に、携帯電話端末装置を操作する位置がケーブルの長さにより制約される問題もある。
【０００６】
本発明は、パソコン、デジタルカメラ、ビデオカメラ等の画像データを含む各種データを有するデジタル家電装置と携帯電話端末装置との間をワイヤレスでデータ伝送可能の接続を行い、携帯電話端末装置が有する移動通信ネットワークへの接続機能を利用して、移動通信ネットワークやインターネット等のネットワークを介して、デジタル家電装置の各種データの送受信を可能とすることを目的とする。
【課題を解決するための手段】
【０００７】
本発明の携帯電話システムは、データ通信機能を具備した携帯電話端末装置と、該携帯電話端末装置を介してデータ伝送を可能としたデジタル家電装置とを含む携帯電話システムに於いて、前記携帯電話端末装置は、前記デジタル家電装置との間でデータ送受信を行うワイヤレス通信手段を備え、前記デジタル家電装置は、前記携帯電話端末装置との間でデータ送受信を行うワイヤレス通信手段と、前記携帯電話端末装置を介してデータ受信能力情報の通知及び相手側のデータ受信能力情報の認識を行う手段と、該手段による前記相手側のデータ受信能力に応じたデータに処理して送信する手段とを備えている。
【０００８】
又前記携帯電話端末装置は、前記ワイヤレス通信手段により前記デジタル家電装置から受信したデータを通話状態の相手側携帯電話端末装置へ送信する手段を備えている。
【０００９】
又前記デジタル家電装置は、前記携帯電話端末装置を介してデータ受信能力情報の通知及び相手側のデータ受信能力情報の認識を行うと共にネットワークアドレスを通知する手段と、該手段により相手側の前記ネットワークアドレスを認識して該ネットワークアドレスにより相手側のデジタル家電装置とネットワークを介して接続する手段とを備えている。
【００１０】
本発明の携帯電話通信方法は、データ通信機能をそれぞれ具備した一方と他方との携帯電話端末装置と、該一方と他方との携帯電話端末装置を介してデータ伝送を可能とした一方と他方とのデジタル家電装置とを含み、該一方と他方とのデジタル家電装置間でデータ伝送を行う携帯電話通信方法に於いて、前記一方と他方との携帯電話端末装置は、前記一方と他方とのデジタル家電装置との少なくともデータを受信する側のデジタル家電装置のデータ受信能力情報をワイヤレス通信により受信して、該データ受信能力情報を携帯電話端末装置間の通話経路を介して相手側の携帯電話端末装置へ伝送し、該携帯電話端末装置からワイヤレス通信によりデータを送信する側のデジタル家電装置に伝送する過程と、データ送信側のデジタル家電装置は、受信識別したデータ受信能力に応じたデータに処理して、データ受信側のデジタル家電装置に、前記携帯電話端末装置を介して伝送する過程とを含むものである。
【００１１】
又データ通信機能をそれぞれ具備した一方と他方との携帯電話端末装置と、該一方と他方との携帯電話端末装置を介してデータ伝送を可能とした一方と他方とのデジタル家電装置とを含み、該一方と他方とのデジタル家電装置間でデータ伝送を行う携帯電話通信方法に於いて、前記一方と他方との携帯電話端末装置は、前記一方と他方とのデジタル家電装置との少なくともデータを受信する側のデジタル家電装置のデータ受信能力情報及びネットワークアドレス情報とをワイヤレス通信により受信して、該データ受信能力情報及びネットワークアドレス情報とを携帯電話端末装置間の通話経路を介して相手側の携帯電話端末装置へ伝送し、該携帯電話端末装置からワイヤレス通信によりデータを送信する側のデジタル家電装置に伝送する過程と、データ送信側のデジタル家電装置は、受信識別したデータ受信能力に応じたデータに処理し、且つ前記ネットワークアドレス情報を基にネットワーク接続して該ネットワークを介してデータ受信側のデジタル家電装置にデータを送信する過程とを含むものである。
【発明の効果】
【００１２】
通話状態の携帯電話端末装置を介して、デジタルカメラやパソコン等のデジタル家電装置のデータを行う為の受信能力やネットワークアドレスを伝送し、通話経路を介して、又はインターネット等のネットワークを介してデジタル家電装置間でデータ伝送することができるから、携帯電話端末装置により通話を行うことができるユーザは、特別の操作を行うことなく、デジタル家電装置間でデータ伝送を行わせることが可能となる。又携帯電話端末装置とデジタル家電装置との間をワイヤレス通信により必要な情報を伝送することができるから、ケーブル接続の場合に比較して、携帯電話端末装置の通話位置の制約が少ない利点がある。
【発明を実施するための最良の形態】
【００１３】
本発明の携帯電話システムは、図１を参照すると、データ通信機能を具備した携帯電話端末装置１，２と、これらの携帯電話端末装置１，２を介してデータ伝送を可能としたパソコン３やデジタルカメラ４等のデジタル家電装置とを含む携帯電話システムに於いて、携帯電話端末装置１，２は、デジタル家電装置との間でデータ送受信を行うワイヤレス通信手段を備え、デジタル家電装置は、携帯電話端末装置との間でデータ送受信を行うワイヤレス通信手段と、携帯電話端末装置１，２を介してデータ受信能力情報の通知及び相手側のデータ受信能力情報の認識を行う手段と、この手段による相手側のデータ受信能力に応じたデータに処理して送信する手段とを備えている。
【００１４】
本発明の携帯電話通信方法は、データ通信機能をそれぞれ具備した一方と他方との携帯電話端末装置１，２と、これらの一方と他方との携帯電話端末装置１，２を介してデータ伝送を可能としたパソコン３又はデジタルカメラ４等のデジタル家電装置とを含み、デジタル家電装置間でデータ伝送を行う携帯電話通信方法に於いて、一方と他方との携帯電話端末装置１，２は、一方と他方とのデジタル家電装置との少なくともデータを受信する側のデジタル家電装置のデータ受信能力情報をワイヤレス通信により受信して、このデータ受信能力情報を携帯電話端末装置１，２間の通話経路を介して相手側の携帯電話端末装置へ伝送し、この携帯電話端末装置からワイヤレス通信によりデータを送信する側のデジタル家電装置に伝送する過程と、データ送信側のデジタル家電装置は、受信識別したデータ受信能力に応じたデータに処理して、データ受信側のデジタル家電装置に対して、携帯電話端末装置を介して伝送する過程とを含むものである。
【実施例１】
【００１５】
図１は、本発明の実施例１の説明図であり、１，２は携帯電話端末装置、３はパソコン、４はデジタルカメラを示す。なお、パソコン３とデジタルカメラ４とは、デジタル家電装置の一例として示すもので、デジタル家電装置としては、ビデオカメラ、デジタルレコーダ、デジタルテレビ受像機等を含むものである。又携帯電話端末装置１，２は、移動通信ネットワークを介してピアツーピア接続を行い、音声通信及びメール等のデータ通信が可能の構成を有すると共に、パソコン３やデジタルカメラ４等のデジタル家電装置との間をワイヤレス通信が可能の構成、例えば、ブルートース（Ｂｌｕｅｔｏｏｔｈ）や無線ＬＡＮ（ローカル・エリア・ネットワーク）等の無線通信機能或いは赤外線通信機能等を有するものである。又デジタル家電装置側も携帯電話端末装置との間でワイヤレス通信が可能の構成を有するものである。
【００１６】
又図２は、携帯電話端末装置の機能ブロック図を示し、１１は制御処理部、１２はメモリ、１３は外部通信インタフェース部、１４は内部通信インタフェース部、１５は表示部、１６はテンキー、１７はアドレス帳格納部、１８はスピーカ、１９はマイクを示す。アンテナを接続した外部通信インタフェース部１３は、移動通信ネットワーク（図示せず）のＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ），ＰＤＣ（Ｐｅｒｓｏｎａｌ  Ｄｉｇｉｔａｌ  Ｃｅｌｌｕｌａｒ）等の通信方式に対応した通信機能を有するものであり、表示部１５、テンキー１６、アドレス帳格納部１７、スピーカ１８、マイク１９等は、携帯電話端末装置の通話及びデータ通信を行う為の機能である。又制御処理部１１は、マイクロプロセッサを含む構成を有し、メモリ１２に格納した制御プログラムに従って各部を制御するものである。又内部通信インタフェース部１４は、前述のブルートースや無線ＬＡＮ等のワイヤレス通信機能を有し、デジタル家電装置との間で、各種データの送受信を行うものである。なお、ＵＳＢ（Ｕｎｉｖｅｒｓａｌ  Ｓｅｒｉａｌ  Ｂｕｓ）等のインタフェース機能を設けることも可能である。
【００１７】
図３は、デジタルカメラの機能ブロック図を示し、２１は制御処理部、２２はメモリ、２３は外部メモリ、２４は内部通信インタフェース部、２５は表示部、２６は入力操作部、２７は撮像部を示す。制御処理部２１は、マイクロプロセッサを含み、各部を制御すると共に、ＣＣＤ等の撮像素子とレンズとを含む撮像部２７による撮像画像データの処理機能も有するものである。又外部メモリ２３は、メモリカード等の交換可能或いは内蔵して撮像画像データを格納するメモリである。又内部通信インタフェース部２４は、前述の携帯電話端末装置の内部インタフェース部１４との間で、ワイヤレス通信を行う機能を有するものである。なお、前述の携帯電話端末装置の内部通信インタフェース部１４のＵＳＢ等のインタフェース機能に対応したインタフェース機能を設けることも可能である。
【００１８】
図４は、パソコンの機能ブロック図を示し、３１は制御処理部、３２はメモリ、３３は外部通信インタフェース部、３４は内部通信インタフェース部、３５は表示部、３６はキーボード、３７はハードディスク（ＨＤＤ）を示す。制御処理部３１は、マイクロプロセッサを含み、各部を制御すると共に、各種のデータの処理機能を有するものである。又外部通信インタフェース部３３は、インターネット等のネットワーク接続等によりデータの送受信を行う機能を有するものである。又内部通信インタフェース部３４は、前述の携帯電話端末装置の内部インタフェース部１４との間で、ワイヤレス通信を行う機能を有するものである。なお、ＵＳＢを備えた構成が一般的であるから、内部通信インタフェース部３４の機能として、このＵＳＢのインタフェース機能を設けることも可能である。
【００１９】
図５は、送受信能力通知処理機能の説明図であり、ファイル送信用アプリケーション部４１と、ＸＭＬデータ作成部４２と、ＸＭＬ解析部４３と、認証機能部４４とを含み、これらの機能を、前述のパソコン３と、デジタルカメラ４とに搭載するものである。このような機能は、集積回路化した回路部品により実現することも可能であるが、各機能を実現する為のプログラムをメモリ２２，３２に格納して、制御処理部２１，３１により実行する構成とすることができる。
【００２０】
ファイル送信用アプリケーション部４１は、画像データ等を送信処理する機能部であり、又ＸＭＬデータ作成部４２は、パソコン等のデジタル家電装置の受信可能データサイズ、受信可能フォーマット、ネットワークアドレス等をＸＭＬ（Ｅｘｔｅｎｓｉｂｌｅ  Ｍａｒｋｕｐ  Ｌａｎｇｕａｇｅ）により作成する。受信可能データサイズとしては、例えば、受信データ格納用メモリの残量をバイト数で示すことができる。又受信可能フォーマットは、例えば、ＪＰＥＧ（Ｊｏｉｎｔ  Ｐｈｏｔｏｇｒａｐｈｉｃ  Ｅｘｐｅｒｔｓ  Ｇｒｏｕｐ），ＧＩＦ（Ｇｒａｐｈｉｃｓ  Ｉｎｔｅｒｃｈａｎｇｅ  Ｆｏｒｍａｔ）や、表示部の表示画素数（６４０×３８０／３２０×１４０）等を示すことができる。或いは、総てのフォーマットに対応できる構成の場合は、制限無しとすることができる。又ネットワークアドレスは、パソコンがインターネット等のネットワークと接続可能の場合のＩＰアドレス等を示すことができる。例えば、ＩＰアドレスと、ポート番号と、ＩＤ／ＰＷＤ（識別番号、パスワード）等を含めることができる。又デジタルカメラの場合は、ネットワークアドレスは無い場合が一般的である。
【００２１】
又ＸＭＬ解析部４３は、相手側のデジタル家電装置からのＸＭＬデータを解析する機能部であり、少なくとも受信可能データサイズと受信可能フォーマットとを認識して、それに適合するように、送信するデータ形式を変換することになる。又認証機能部４４は、携帯電話端末装置とデジタル家電装置との間の認証を行う機能であり、ＰＡＰ（Ｐａｓｓｗｏｒｄ  Ａｕｔｈｅｎｔｉｃａｔｉｏｎ  Ｐｒｏｔｏｃｏｌ）やＣＨＡＰ（Ｃｈａｌｌｅｎｇｅ  Ｈａｎｄｓｈａｋｅ  Ａｕｔｈｅｎｔｉｃａｔｉｏｎ  Ｐｒｏｔｏｃｏｌ）の認証プロトコルを用いて、正規ユーザのものであるか否かの認証を行う為のものである。この場合、携帯電話端末装置のメモリ１２（図２参照）に、認証の際に利用するユーザ名やパスワードを予め記憶させておいて、認証処理を行う構成とすることも可能である。なお、この認証機能部４４はオプション機能とすることができる。又受信可能データサイズや受信可能フォーマット等の受信能力情報及びネットワークアドレス情報をＸＭＬデータとして伝送する場合を示すが、例えば、ＨＴＭＬ（Ｈｙｐｅｒｔｅｘｔ  Ｍａｒｋｕｐ  Ｌａｎｇｕａｇｅ）等を用いたデータとして送受信することもできる。
【００２２】
図６は、本発明の実施例１のシーケンス説明図であり、移動通信ネットワークを介した携帯電話端末装置１，２間の通話経路により、デジタルカメラ４で撮像した画像データをパソコン３に転送する場合を示す。携帯電話端末装置１，２間で通話中或いは通話前に、携帯電話端末装置１は、パソコン３との間で、ブルートースによるワイヤレス通信の経路を確保して、前述の認証機能部４４により相互認証を実行する。又携帯電話端末装置２は、デジタルカメラ４との間も同様に、ブルートースによるワイヤレス通信の経路を確保して、前述の認証機能部４４により相互認証を実行する。
【００２３】
次に、パソコン３とデジタルカメラ４とのＸＭＬデータ作成部４２により、前述の受信可能データサイズ、受信可能フォーマットを含む受信能力情報をＸＭＬデータとして作成し、そのＸＭＬデータをワイヤレス通信により携帯電話端末装置１，２にそれぞれ送信する。例えば、パソコン３の受信可能データサイズ：２０Ｇバイト、受信可能フォーマット：制限無し、ネットワークアドレス：１０．１．２．３とし、デジタルカメラ４の受信可能データサイズ：２Ｍバイト、受信可能フォーマット：ＪＰＥＧ、ネットワークアドレス：無し、とすることができる。
【００２４】
そして、携帯電話端末装置１，２間は通話状態であり、ＸＭＬデータを移動通信ネットワークを介したメール形式で送受信する。又携帯電話端末装置１，２は、受信能力情報を、ワイヤレス通信によりそれぞれパソコン３とデジタルカメラ４とに送信する。それにより、パソコン３とデジタルカメラ４とは、それぞれ前述のＸＭＬ解析部４３によりＸＭＬデータを解析して相手側の受信能力を認識することができる。そして、デジタルカメラ４は、ファイル送信用アプリケーション起動を行う。このファイル送信用アプリケーション部４１の起動は、相手の受信能力を認識することにより、例えば、デジタルカメラ４の制御処理部２１（図３参照）の制御機能により自動的に行うか、又は通話状態の携帯電話端末装置２のボタン操作やデジタルカメラ４側のボタン操作等により行うことができる。
【００２５】
デジタルカメラ４は、ＸＭＬ解析部４３により、パソコン３の受信能力を示すＸＭＬデータを受信解析して、パソコン３の受信可能データサイズと受信可能フォーマットとを認識しているから、ファイル送信用アプリケーション起動により、画像データをパソコン３が受信できるように処理して、携帯電話端末装置２、移動通信ネットワーク、携帯電話端末装置１を介してパソコン３に画像データをファイル送信する。従って、携帯電話端末装置１，２のユーザは、格別の送受信操作を行わなくても、デジタルカメラ４の撮像画像データをパソコン３に送信することができる。
【実施例２】
【００２６】
図７は、本発明の実施例２の説明図であり、７１，７２は携帯電話端末装置、７３，７４はパソコン、７５は移動通信ネットワーク、７６はインターネットを示す。携帯電話端末装置７１，７２は、図２に示す機能ブロックを有し、又パソコン７３，７４は、図４に示す機能ブロックを有すると共に、図５に示す機能を有するものであり、携帯電話端末装置７１とパソコン７３との間及び携帯電話端末装置７２とパソコン７４との間は、それぞれブルートース等によるワイヤレス通信が可能の手段を有するものである。又携帯電話端末装置７１，７２は、一般の携帯電話機と同様に、移動通信ネットワーク７５を介して音声通信及びデータ通信が可能の構成を有するものであり、又パソコン７３，７４は、一般のパソコンと同様に、インターネット７６や他のネットワークを介してデータ伝送が可能の構成を有するものである。
【００２７】
パソコン７３，７４のそれぞれの受信能力情報とネットワークアドレス情報とを、ＸＭＬデータ作成部４２によりＸＭＬデータとして作成し、携帯電話端末装置７１，７２とその通話経路の移動通信ネットワークを介して伝送し、そのＸＭＬデータを受信した携帯電話端末装置７１，７２は、それぞれパソコン７３，７４にワイヤレス通信により伝送する。パソコン７３，７４は、受信したＸＭＬデータをＸＭＬ解析部４３により解析して、相手側の受信能力及びネットワークアドレスを認識し、受信能力情報に対応したデータサイズ及びフォーマットに変換したデータを、前述の実施例１と同様に、携帯電話端末装置７１，７２を介して伝送することもできるが、パソコン７３，７４は、ネットワークアドレス情報を受信して認識することにより、そのネットワークアドレスを用いてインターネット７６に自動的にアクセスすることができる。従って、パソコン７３，７４は、それぞれの受信能力に従ったデータサイズ及びフォーマットにより、インターネット７６を介してデータ伝送を行うことができる。
【００２８】
図８は、本発明の実施例２のシーケンス説明図であり、携帯電話端末装置７１，７２間で移動通信ネットワークを介して通話中或いは通話前に、携帯電話端末装置７１はパソコン７３と、携帯電話端末装置７２はパソコン７４と、それぞれブルートースによるワイヤレス通信の経路を確保して、認証機能部４４（図５参照）により例えば前述のＰＡＰやＣＨＡＰ等の認証プロトコルを用いて相互認証を実行する。この認証処理が終了すると、パソコン７３，７４のＸＭＬデータ作成部４２（図５参照）により、受信可能データサイズ、受信可能フォーマット、ネットワークアドレスをＸＭＬにより作成する。例えば、パソコン７３の受信可能データサイズ：２０Ｇバイト、受信可能フォーマット：制限無し、ネットワークアドレス：１０．１．２．３、又パソコン７４の受信可能データサイズ：１０Ｇバイト、受信可能フォーマット：制限無し、ネットワークアドレス：１０．１．２．１００とし、ＸＭＬデータ作成部４２によりＸＭＬデータとし、そのＸＭＬデータをパソコン７３は携帯電話端末装置７１に、又パソコン７４は携帯電話端末装置７２にそれぞれブルートース等によるワイヤレス通信により送信する。
【００２９】
又携帯電話端末装置７１，７２間で通話可能の接続状態の場合は、パソコン７３，７４からのＸＭＬデータを、メール送信により相互に送信する。なお、通話可能の接続状態でない場合は、携帯電話端末装置７１，７２の何れか一方からの呼び出し操作により通話可能の接続状態とする。携帯電話端末装置７１，７２は、それぞれ相手側からのメールを受信して、パソコン７３，７４にブルートース等によるワイヤレス通信により転送する。従って、パソコン７３，７４は、それぞれ相手側の受信能力情報と共にネットワークアドレス情報を受信して、ＸＭＬ解析部４３により認識することができるから、ファイル送信用アプリケーション起動を行い、且つネットワークアドレス情報を基にインターネットを介して相手側のパソコンとの間を接続し、パソコン７３，７４間でインターネット７６を介してデータ伝送を行うことができる。この状態となると、携帯電話端末装置７１，７２間の通話を終了しても、パソコン７３，７４間は、インターネット７６を介して接続されているから、データ伝送を継続することができる。又ネットワークとしては、インターネットのみでなく、アドレス情報を基に相手と接続できるＬＡＮ等のネットワークにも適用することができる。
【００３０】
インターネット接続形態の基本は、クライアントサーバ型である。サーバは不特定多数のクライアントからの接続を許容するが、クライアントは他クライアントからのアクセスは許容しない。故にインターネットを用いたピアツーピア通信を行う為には、ピアツーピア通信を行う相手と同一のサーバへ一旦アクセスし、そこで互いのネットワーク情報を交換する等の手続きが必要となる。このような手法によりインターネットを用いて、クライアント端末間にてピアツーピア通信を実現することが可能となるが、ネットワーク情報を交換する為に、両クライアントが一旦サーバへアクセスする必要があり、他方の意思で相手を好きなタイミングで呼び出すことができない。これに対して、移動通信ネットワークを介して携帯電話端末装置間の接続は、いつでもどこでも好きなタイミングで相手を呼び出し、簡易にピアツーピア通信経路を確立することが可能となる。
【００３１】
この携帯電話端末装置間の通信経路を用いてデータ伝送を行うことにより、前述のように、簡単にデジタル家電装置間のデータ伝送が可能となる。従って、携帯電話端末装置とデジタルカメラとを持って移動中に、そのデジタルカメラの撮像画像データを、相手の携帯電話端末装置を呼び出して通話状態とし、その携帯電話端末装置とワイヤレス通信可能のデジタルカメラ或いはパソコンに簡単に転送することができる。或いは、デジタルビデオカメラで撮像した映像データを、携帯電話端末装置を介して、テレビ受像機に転送してライブ映像を表示させることもできる。又営業活動に於いて、携帯電話端末装置を用いてアクセスした顧客に対して、商品の映像データを送信することにより、遠隔地から各種の商品情報を提供し、きめ細かい対応を図ることも可能である。
【図面の簡単な説明】
【００３２】
【図１】本発明の実施例１の説明図である。
【図２】携帯電話端末装置の機能ブロック図である。
【図３】デジタルカメラの機能ブロック図である。
【図４】パソコンの機能ブロック図である。
【図５】送受信能力通知処理機能の説明図である。
【図６】本発明の実施例１のシーケンス説明図である。
【図７】本発明の実施例２の説明図である。
【図８】本発明の実施例２のシーケンス説明図である。
【符号の説明】
【００３３】
１，２  携帯電話端末装置
３  パソコン
４  デジタルカメラ
１１，２１，３１  制御処理部
１２，２２，３２  メモリ
１３，３３  外部通信インタフェース部
１４，２４，３４  内部通信インタフェース部
１５，２５，３５  表示部
【図１】
2007043593.tif 000003
【図２】
2007043593.tif 000004
【図３】
2007043593.tif 000005
【図４】
2007043593.tif 000006
【図５】
2007043593.tif 000007
【図６】
2007043593.tif 000008
【図７】
2007043593.tif 000009
【図８】
2007043593.tif 000010